(57)【要約】      （修正有）【課題】ＣＤ−Ｅ又はＣＤ−ＷＯのような光学的に書き込み可能な形式である。情報はパターンのトラックとして情報担体上に記録され得る。製造者は、たとえば使用されるべき書き込みパワーについての情報といった、担体情報を持つ情報担体を提供する。【解決手段】この適合化を情報担体と調和させるために、情報担体は、たとえば基準速度（Ｖ１−Ｖ３）のような記録速度に関係する記録プロセスを示す速度関連情報を含み、残りの記録パラメタ（Ｗ１−Ｗ３）が、その情報担体に記録が行われ得る最小及び／又は最大記録速度に対して与えられる。装置は、前記情報担体から速度関連情報を読み取り、記録プロセスを実際に使用されるべき記録速度に適合化させる。【選択図】図４
2007335077.tif 000002
【特許請求の範囲】
【請求項１】
記録プロセスにより当該情報担体上に情報を記録できる当該記録プロセスを示す記録情報を含む、書込み可能な形式の情報担体であって、前記記録情報が前記記録プロセスの記録パラメタを含み、前記記録情報は、記録速度に関連付けられた前記記録プロセスを示す速度関連情報を含むことを特徴とする情報担体。
【請求項２】
請求項１に記載の情報担体において、前記速度関連情報は、前記記録パラメタが与えられた基準速度を含むことを特徴とする情報担体。
【請求項３】
請求項１又は２に記載の情報担体において、前記速度関連情報は、前記記録パラメタが使用できる記録速度の範囲を含むことを特徴とする情報担体。
【請求項４】
請求項１から３いずれか１項に記載の情報担体において、前記記録パラメタが、第１記録速度において与えられ、前記速度関連情報が、前記第１記録速度から離れた少なくとも１つの記録速度で与えられた、別の記録パラメタを含むことを特徴とする情報担体。
【請求項５】
請求項１から４いずれか１項に記載の情報担体において、前記記録パラメタが、第１記録速度において与えられ、前記速度関連情報が、前記第１記録速度と使用される記録速度との間の差に依存して前記記録パラメタを補正するための、第２記録速度における前記記録パラメタの偏差を示す補正パラメタを含むことを特徴とする情報担体。
【請求項６】
請求項１から５いずれか１項に記載の情報担体において、前記記録プロセスが、第１記録速度で規定され、前記速度関連情報は、前記第１記録速度から離れた記録速度での少なくとも１つの別の記録プロセスを示す、プロセス情報を含むことを特徴とする情報担体。
【請求項７】
記録プロセスにより情報担体上に情報を記録できる当該記録プロセスを示す記録情報を含む書込み可能な形式の情報担体に、記録を行うための装置であって、前記記録情報は、前記記録プロセスの記録パラメタを含み、当該装置は、前記記録情報を読み取るための読み取り手段と、実際の記録プロセスに従って前記情報担体に記録を行うための記録手段とを有し、前記記録手段は、実際の記録速度と、記録速度に関連付けられた前記記録プロセスを示す速度関連情報とに依存して、前記実際の記録プロセスを制御するように構成されており、前記速度関連情報は、前記情報担体に含まれていることを特徴とする装置。
【請求項８】
請求項７に記載の装置において、前記速度関連情報は、前記記録パラメタが与えられた基準速度を含み、前記記録手段は、前記基準速度と実際の記録速度との差に依存して前記記録プロセスを制御するように構成されていることを特徴とする装置。
【請求項９】
請求項７又は８に記載の装置において、前記速度関連情報は、前記記録パラメタが使用できる記録速度の範囲を含み、前記記録手段は、前記記録速度の範囲に依存して、実際の記録速度を選択するように構成されていることを特徴とする装置。
【請求項１０】
請求項７から９いずれか１項に記載の装置において、前記記録パラメタが、第１記録速度において与えられ、前記速度関連情報が、前記第１記録速度から離れた少なくとも１つの記録速度で与えられた、別の記録パラメタを含み、前記記録手段が、前記別の記録パラメタおよび実際の記録速度に依存して、前記記録プロセスを制御するように構成されていることを特徴とする装置。
【請求項１１】
請求項７から１０いずれか１項に記載の装置において、前記記録パラメタが、第１記録速度において与えられ、前記速度関連情報が、前記第１記録速度と使用される記録速度との間の差に依存して前記記録パラメタを補正するための、第２記録速度における前記記録パラメタの偏差を示す補正パラメタを含み、前記記録手段が、前記補正パラメタおよび実際の記録速度に依存して、前記記録プロセスを制御するように構成されていることを特徴とする装置。
【請求項１２】
請求項７から１１いずれか１項に記載の装置において、前記記録プロセスが、第１記録速度で規定され、前記速度関連情報は、前記第１記録速度から離れた記録速度での少なくとも１つの別の記録プロセスを示すプロセス情報を含み、前記記録手段は、前記プロセス情報および実際の記録速度に依存して、実際の記録プロセスを選択するように構成されていることを特徴とする装置。
【発明の詳細な説明】
【技術分野】
【０００１】
本発明は、記録プロセスにより情報担体上に情報を記録できる当該記録プロセスを示す記録情報を含む、書き込み可能な形式の情報担体であって、前記記録情報が前記記録プロセスの記録パラメタを含む記録担体に関する。
【０００２】
本発明は更に、書き込み可能な形式の情報担体に記録を行うための装置であって、情報担体が、記録プロセスにより当該情報担体上に情報を記録できる当該記録プロセスを示す記録情報を含み、前記記録情報が、前記記録プロセスの記録パラメタを含み、当該装置が、前記記録情報を読み取るための読み取り手段と、実際の記録プロセスに従い情報担体に記録を行うための記録手段とを備える装置に関する。
【背景技術】
【０００３】
このような情報担体及び装置は、ヨーロッパ特許公開公報第EP-A-0 397 238(PHN 12.925)で開示されている。この情報担体は、例えばＣＤシステムに適するCompact Disc Write Once(CD-WO)のような、光学的に書き込み及び読み取り可能な形式のディスクであり、予め記録されたトラック部分、いわゆるプレグルーブを持つ。このプレグルーブは、記録プロセスに従って光学的に読み取り可能なパターンを記録することを意図されている。これらのパターンは情報を表す。前記プレグルーブは、アドレスコード及び補助コードを含む補助信号でさらに変調される。この補助コードは、例えば記録プロセスに必要な書き込みパワーのような、記録に必要なデータを有する。既知の装置は、補助コードを回復する手段、及びこの回復された補助コードに応じて前記書き込みパワーを適合化する手段を有する。この記録プロセス中、前記情報担体は、前記トラックが１つの記録位置に対して固定された１つの記録速度で動くような速度で回転させられる。前記記録は、前記システムでの慣例的な読み取り速度、例えばＣＤシステムでの公称ＣＤオーディオ読み取り速度と等しい公称記録速度でなされてもよい。既知の情報担体及び装置に対する１つの問題は、前記情報担体が公称記録速度から離れた速度で記録される場合、記録されたパターンは公称記録速度で記録されるパターンから離れてしまうという問題である。
【０００４】
更に、米国特許公報第5,457,674号(US 5,457,674)において、光学ディスクはこのディスクのある領域に事前に記録された記録パラメタを持つことが開示されている。この記録パラメタは、回転周波数及び各回転周波数に対する書込みパワーを含む。更に、前記ディスク上の事前に記録された記録パラメタで指定される周波数以外の回転周波数で記録を行うための装置が開示されている。
【発明の開示】
【発明が解決しようとする課題】
【０００５】
本発明は、この情報担体が適する記録速度から離れた速度で記録される偏差パターンを避ける装置及び情報担体を提供することを１つの目的とする。
【課題を解決するための手段】
【０００６】
この目的のために、本発明に係る前記情報担体は、記録情報が、記録プロセスの記録速度依存性を示す速度関連情報を含み、この記録プロセスは記録速度に関係し、この速度関連情報は、記録パラメタが使用でき、かつその情報担体が適する記録速度の範囲を含むことを特徴とする。また、この目的のために、本発明に係る装置は、記録情報が前記記録プロセスの記録速度依存性を示す速度関連情報を含み、この速度関連情報は、前記記録パラメタが使用でき、かつその情報担体が適する記録速度の範囲を含み、記録手段は、実際の記録速度と速度関連情報とに依存して実際の記録プロセスを制御し、前記記録速度の範囲に依存して実際の記録速度を選択するように構成されていることを特徴とする。これらの対策は、例えば、記録プロセスが前記装置において簡単に実際の記録速度に適合化されるので、前記パターンは、前記記録速度に関係なくほぼ一定の寸法を持つという利点を持つ。更なる利点は、情報担体の製造者が、それぞれの情報担体に関する実際の記録速度に対する、前記記録プロセスの適合化を実施してもよい点である。標準化の同意がなされた後、より速く記録できる情報担体又は、より速い装置を新しく開発するならば、これは特に有利である。これらの対策は、例えば更に、使用される記録速度が、他の記録パラメタが使用できる情報担体の速度の範囲内にあるか否かを、前記情報担体から直接読み取れる点でも有利である。
【発明を実施するための最良の形態】
【０００７】
本発明のこれら及び他の特徴を第１図から第６図を参照して説明する。これらの図において、既述の要素に対応する要素は、類似の符号を有する。
【０００８】
第１ａ図は、ディスク形状の情報担体１を示す。この情報担体は、記録を意図された連続トラック９を有し、このトラック９は、巻線のらせんパターンで配置されている。この巻線は、らせん状の代わりに同心状に配置されてもよい。このトラック９は、走査中において、例えばプレグルーブ部４が読み取り／書き込みヘッドに前記トラック９をたどることを可能とさせるような、サーボパターンによって情報担体上に示される。サーボパターンは、例えば、サーボトラッキングシステム内に信号を周期的に生じさせる、交番かつ均等に分布させられたサブパターンであってもよい。第１ｂ図は、情報担体１のｂ−ｂ線に沿った断面を示す。基板５は、ピックアップ層６及び透明層７で覆われている。プレグルーブ部４は、隆起部又は周囲と異なる材料特性として形成されてもよい。ピックアップ層６には、情報記録装置によって光学的に又は磁気光学的に書込みを行うことができる。情報担体上の情報は、マークのパターンで表される。トラック９内におけるパターン形成のため、例えば、各マークが、例えばそのマークの長さに依存する一定の又は変化する書き込みパワーの一つ又はそれ以上の記録パルスによって形成されるような、記録プロセスが使用される。例えば、書き込みパワー、パルス数、変量、デューティサイクル等のような記録プロセスの記録パラメタは、前記情報担体に最適に同調される。その際、この情報担体の材料特性は、重要な役割を果たす。書き込み可能な記録担体の一例は、コンピュータ用の既知のCD Write Once又はCD-MOである。担体情報を同じように有する書き込み可能なＣＤシステムの広域な記述は、米国特許公報第US-4,901,300号(PHN 12.398)及び米国特許公報第US-5,187,699号(PHQ88.002)に見られる。ＣＤの読み取り及びプレグルーブ部の使用の詳細は、Bouwhuis等著の題名"Principles of optical disc systems" ISBN 0-85274-785-3に見られる。
【０００９】
第１ｃ図及び１ｄ図は、前記プレグルーブ部の周期的変調（ウォッブル）の実施例を２つ示す。このウォッブルは、サーボトラッキングピックアップ内に付加的な信号を生じさせる。例えば前記ウォッブルは、補助信号で周波数変調され、担体情報は前記補助信号にコード化される。このような記録情報を有する情報担体の詳細は、上記で述べたヨーロッパ特許公報第EP-0 937 238号に見られる。光学テープのような異なる形式の情報担体は、例えばテープの最初で又は補助トラックに沿って情報領域を認識することによって、異なる方法で記録情報を与えられ得る。
【００１０】
本発明に係る情報担体上の記録情報は、速度関連情報を含む。マークの形状は、使用される記録速度とはほぼ無関係であるべきである。例えば、増加される記録速度と一定のままの記録パラメタとで、異なる寸法のマークが形成されるであろう。熱効果が記録プロセスにおいて重要な役割を果たすので、全体として速度差に比例する記録パラメタの適合化は、同じ寸法のマークを得るには不十分である。同じ寸法を得るために、記録プロセスは記録速度に対してさらに適合化されなければならない。前記記録プロセスが、閉じた許容範囲内で実行されるべきであるCD erasable(CD-E)のような再記録可能且つ消去可能な情報担体で用いられる相変化材料に対して、これは特に当てはまる。本発明に係る情報担体に対し、速度関連情報は、記録プロセスと記録速度との間の関係を表す。結果として、実際の記録速度及び速度関連情報に依存して、記録速度が適合化されてもよいし、記録プロセスが適合化されてもよい。
【００１１】
第２図は、この情報が、本発明に係る情報担体の１つの実施例におけるプレグルーブ部中の補助信号の連続ビットとして記録される際の、担体情報の１つの適切なフォーマットを示す。２４ビット長ユニットが使用され、３個のバイトに再分割される。前記担体情報は、例えばアドレスコードＡＣ及び補助コードＨＣを含み、このアドレスコードＡＣは、ＣＤシステムでは通例となっているように、トラックの始端に対するトラック９の読み取り部分の位置を、ビット位置１３の分ｍｍ、ビット位置１４の秒ｓｓ及びビット位置１５のフレームｆｆで示している。プレグルーブでの絶対時間の表示「Absolute Time Indication In The Pregroove(ATIP)」は、バイナリコード化された十進法「Binary Coded Decimal(BCD)」システムで表される。補助コードＨＣは、時間コードの最重要ビット(MSB)を形成する指定ビット位置２０、２１及び２２での特定の値によって、アドレスコードＡＣから区別される。これら３つのＭＳＢにおいて、前記アドレスコードＡＣ６６及び６７は、１００、０００をそれぞれ含み、補助コードＨＣ６１、６２、６３、６４、６５及び６６は、残りの値０１０、１１０、００１、０１１、１１１及び１０１を持つ。たとえば、与えられた位置で前記情報担体に設けられ記録装置によって読み取ることができるバーコード形式といった異なる形式で、前記記録担体上に前記速度関連情報が設けられてもよいことは、言うまでもない。
【００１２】
第３図は、担体情報がコード化されるトラック９の一部を概略的に示す。補助信号は、本質的に、アドレスコードＡＣ、及び１０個の可能なコードの一つに補助コードＨＣを含む。前記補助コードＨＣは、例えばリードイン及びリードアウト領域の可能な始端及び終端のような前記情報担体１に関する記録情報、又は放射線ビームの必要な書き込みパワーのような記録プロセスの記録パラメタを有する。本発明の１つの実施例では、特定の補助コードＨＣにおけるいくつかのビットが、基準速度を表すのに使用される一方、他の記録パラメタは固定される。結果として、例えば通例の標準的な速度から離れる二倍の速度のような速度で、情報担体を最適化することが可能である。この速度で、前記情報担体の製造者は、残りの記録パラメタを測定し、それらを前記担体上に記録する。第２の実施例は、前記記録パラメタが使用でき、かつ前記情報担体が適する記録速度の範囲を持つ。前記速度の範囲は、最小速度及び最大速度の両方により示されてもよいが、最小速度又は最大速度が与えられるだけでも可能である。実際の記録速度は、この範囲内に入るべきである。公称記録速度から離れる場合、必要とされる限り、補正を記録パラメタへ施してもよい。記録パラメタが第１記録速度に対して与えられる第３の実施例において、前記第１記録速度から離れた少なくとも他の記録速度で計算された他の記録パラメタが与えられる。記録動作中においては、その記録速度に対するパラメタがディスク上で入手可能な、前記記録速度の一つが使用され得る。前記記録パラメタが第１記録速度で与えられる第４の実施例では、第２記録速度における前記記録パラメタからの偏差を示す補正パラメタが含まれている。結果として、記録パラメタに対する補正が、第１記録速度と使用される記録速度との間の差に依存して計算され得る。前記記録プロセスが第１記録速度で決められている第５の実施例では、プロセス情報が含まれる。このプロセス情報は、第１記録速度から離れたある記録速度で、異なる記録プロセスが使用されるべきであることを表す。この点において、例えば予熱パルス又は全く異なる一続きのパルスが、ある離れた記録速度で適用されることが示されてもよい。
【００１３】
当然、情報担体上の速度関連情報の前記実施例の組み合わせは可能である。たとえば異なる基準速度と共に、情報担体上のこのような補助コードを数回提供することによって、異なる記録パラメタ及びもしかすると異なる記録プロセスが、異なる基準速度又はたとえば前記記録放射線源の異なる波長に対して示され得る。
【００１４】
第４図は、速度関連情報を持つ記録情報の１つの実施例を示す。これは、第２図を参照して説明された補助コードのフォーマットを有し、ＭＳＢ位置２０、２１、２２におけるコード１０１は、それぞれの補助コードＨＣの残りのビットが、一致したフォーマットによる速度関連情報を含むことを示す。これは、例えば以下のように満たされる。Ｗ１−Ｗ３は、基準速度で気温２５°Ｃで７８５ｎｍの波長を有する書き込みパワー数（ｍW）を示し、ここで０００は５ｍＷを示し、００１は６ｍＷ等を示す。Ｖ１−Ｖ３は、基準速度であり、０００は指定なし、００１は１倍の公称ＣＤ速度、０１０は２倍の公称ＣＤ速度、０１１は４倍速の公称ＣＤ速度等を示す、Ｕ１−Ｕ７は、ディスクの目的を示す。０００００００は一般的な使用等を示す。Ｄ１はディスクの形式を示し、０はCD-WO、１はCD-Erasableを示す。前記ビットＳ１−Ｓ３及びＡ１−Ａ３は、サブ形式を示すのに使用され、各サブ形式に対して、必要に応じて異なる記録プロセスが生成されてもよい。ディスクの形式及びサブ形式は、残りのパラメタが転送される際のフォーマットを適合化するように使用されてもよい。例えばCD-WOは、CD-Eとは異なる記録パラメタを持つ異なる記録プロセスを必要とする。補助コードにおける様々なビットの意味は、示されるディスクの形式／サブ形式に依存したものとされ得る。CD-Eの中でさえ、異なる記録プロセスが必要とされる、異なる物理的実施例及び材料の選択が使用され得る。それぞれのプロセスも前記記録速度に依存するものであってもよい。
【００１５】
第５図は、ディスク形状の情報担体１に記録を行うための装置を示す。この装置は、記録プロセスに従って情報担体１に記録を行うためのコード化手段５２及び読み取り／書き込みユニット５７を有する。情報は入力５１に入力され、コード化手段５２で記録信号に変換される。この記録信号は、読み取り／書き込みユニット５７につながっている。前記情報担体１は、駆動手段５８によって駆動され、回転する。前記読み取り／書き込みユニット５７はその間、ビーム５６を介してトラック９を走査し、前記トラック内に情報を表すマークのパターンを記録する。走査中、前記読み取り／書き込みユニット５７は、従来形式のサーボシステム（図示せず）によってトラック９上に位置させられる。システムコントローラ５９は、駆動手段５８及びサーボシステムを介した、情報担体１の走査を検査する。システムコントローラ５９は、コード化手段５２及び読み込み／書き込みユニット５７を介した、記録プロセスを同様に制御する。一般的に、このような装置は、前記読み込み／書き込みユニット５７により読み出されたパターンから情報を回復するためのデコード手段５３も有する。前記回復された情報は、次に出力５４上に生成される。前記装置は、記録された情報を回復するための復調手段５５をさらに含む。前記トラックを辿りながら生成されるサーボ信号は、補助信号の回復のためにサーボ信号を復調するように構成された復調手段５５に出力される。復調手段５５は、アドレスコードと補助信号からの補助コードとを変換する。これらのコードは、システムコントローラ５９に転送される。前記記録プロセスの記録パラメタは、回復された記録された情報（なかでも速度関連情報）と記録速度との関数として、適合化手順（第６図参照）に従って、システムコントローラ５９によって適合化される。例えば、使用される書き込みパワーは、読み取り／書き込みユニット５７で設定され、記録される信号の形状は、コード化手段５２で設定されてもよい。
【００１６】
第６図は、以下のステップでシステムコントローラ５９によって実行される適合化手順を概略的に示す。Ｓ１は、走査動作の開始であり、情報担体が前記装置に挿入された後、前記情報担体１は回転を始め、サーボシステムがロックオンする。Ｓ２は、記録された情報の読取りであり、前記トラックの所与の部分が走査される。復調器５５は、記録された情報（なかでも速度関連情報）を読み取る。Ｓ３は、記録プロセスの適合化であり、前記記録パラメタは、記録指令に対して所望される記録速度と、前記情報担体から読み取られた記録された情報とから計算される。Ｓ４は、記録プロセスの校正であり、必要ならば一つ又はそれ以上の試験的記録が、記録パラメタの異なる設定で、情報担体上の試験的記録目的の領域で行われる。Ｓ５は、記録プロセスであり、記録命令が実行される。後続する命令は、次に情報担体が前記装置から取り除かれるまで実行されてもよい。この場合、適合化手順はＳ１から再開される。
【００１７】
前記速度関連情報が、記録パラメタが与えられる基準速度を有する場合、Ｓ３は以下のように実行される。前記基準速度と実際の速度との間の差が与えられる。これらの速度が同じである場合、前記読み取られた記録パラメタは、直ちに適切ということになり、Ｓ４へと続く。差がある場合には、前記記録パラメタは、情報担体のそれぞれの形式に対するこの補正値が既知であるならば、固定値によって補正され得る。記録速度を適合化することもまた可能である。
【００１８】
記録パラメタが第１記録速度で与えられ、速度関連情報が前記第１記録速度から離れた少なくとも１つの他の記録速度で与えられる他の記録パラメタを持つ場合、Ｓ３は以下のように実行される。前記与えられた速度の一つ、つまり、所望の記録速度からの差が最も少ない１つの速度が選択される。付帯の記録パラメタ及び実際の記録速度が設定され、Ｓ４へと続く。
【００１９】
前記速度関連情報が、記録パラメタが使用できる記録速度範囲を有する場合、Ｓ３は以下のように実行される。所望の記録速度が前記範囲内である場合、Ｓ４が直ちに後続する。範囲外なら、実際の速度は、前記範囲内に置かれるように選択されるべきである。多くの場合において、可能な最大の速度が望まれ、この方法において簡単に得られる。前記情報担体が、異なる付帯の記録パラメタを持つ異なる速度範囲が使用できる形式であるならば、前記速度関連情報は当然ながら、全ての使用可能な速度の限界が見つかるような期間に亘って読まれ、この結果、選択は、所望の記録速度が置かれる範囲で行われ得る。
【００２０】
記録パラメタが第１記録速度で与えられ、速度関連情報が第２記録速度における前記記録パラメタからの偏差を表す補正パラメタを含む場合、Ｓ３が以下のように実行される。前記第１記録速度と使用されるべき記録速度との間の差が特定される。前記補正パラメタは、この時、第２記録速度と実際の記録速度との間の速度差に比例して、記録パラメタへと適用される。例えば補正パラメタが、４倍の速度に対して与えられ、前記装置が２倍の速度のみ処理できるならば、当該補正は、半分にされるべきである。
【００２１】
記録プロセスが第１記録速度で決められ、速度関連情報が、第１記録速度から離れた記録速度における少なくとも１つの他の記録プロセスを表すプロセス情報を有する場合、Ｓ３が以下のように実行される。所望の記録速度が、異なる記録プロセスが与えられた離れた速度と一致する場合、対応の記録プロセスが選択される。必要ならば、第２の実施例において、上記に記載した方法の一つにより、選択されたプロセスの記録パラメタの補正がさらにあってもよい。
【図面の簡単な説明】
【００２２】
【図１】書き込み可能な形式の情報担体を示した図
【図２】情報担体に対する１つの適切なフォーマットを示した図
【図３】担体情報がコード化されるトラックの一部の概略的な図解
【図４】速度関連情報を持つ記録情報を示した図
【図５】情報担体に記録を行うための装置を示した図
【図６】適合化手順の概略的な説明図
【図１】
2007335077.tif 000003
【図２】
2007335077.tif 000004
【図３】
2007335077.tif 000005
【図４】
2007335077.tif 000006
【図５】
2007335077.tif 000007
【図６】
2007335077.tif 000008
【外国語明細書】
2007335077000001.pdf